【事件の表示】
　平成１１年特許願第３５２７４５号「カラー画像形成装置」拒絶査定不服審判事件〔平成１３年　６月２２日出願公開、特開２００１−１６６５５３〕について、次のとおり審決する。
【結　論】
　本件審判の請求は、成り立たない。
【理　由】
１．手続の経緯・本願発明
　本願は、平成１１年１２月１３日の出願であって、その請求項１乃至４に係る発明は、平成１８年８月２５日付けで提出された手続補正書によって補正された特許請求の範囲の請求項１乃至４に記載されたとおりのものであり、特に請求項１に係る発明（以下、本願発明１という。）は次のとおりのものである。
「複数色の画像をそれぞれ形成する複数の画像形成部
を備え、
　
　なお、「複数色の画像をそれぞれ形成する複数の画像形成部
と、
を備え、
　
２．引用された刊行物１について
　これに対して、原査定の拒絶の理由に引用された特開昭６３−２７９２８０号公報（以下、刊行物１という。）には、下記の発明（以下、刊行物１発明という。）が記載されている。
　ア．「感光体と、該感光体表面に一様帯電するチャージャと、記録情報に応じた画像光を感光体に投射する露光手段と、感光体の静電潜像を現像する現像手段と、転写紙に感光体の顕像を転写する転写手段とを有する記録装置を複数個配置し、転写ベルトにより転写紙を各記録装置に順次搬送して画像を重ね転写する画像記録装置において、転写ベルト上に各色毎に測定用パターン画像を形成するためのパターン用画像信号発生手段と、各色パターン像の通過を検知する単一の検知手段と、検知手段による検知タイミングカウント手段と、該検知タイミングカウント手段によるカウント値を設定値と比較し、必要に応じてずれ量を演算する比較演算手段と、演算手段からの出力値に応じて設定変更可能な各色書き出しタイミング信号発生手段を設け、位置ずれ検知のための測定用パターン画像の他に、各色毎の画像濃度検出用パターン画像を作成し、前記両パターンを前記検知手段の出力により検出し、画像濃度制御手段と、各色書き出しタイミング信号発生手段とを制御することを特徴とする画像形成装置。」（【特許請求の範囲】）
　
　また、刊行物１には、下記の事項も併せて記載されている。（下線は、当審にて付与した。）
　イ．「次に画像濃度検出用パターンを用いた画像濃度制御方法について述べる。
　まず、レーザビームにより画像とは別に画像濃度検出用パターンが感光体上の原稿画像領域外に露光され標準潜像が形成される。
　第１４図（ａ），（ｂ），（ｃ），（ｄ）は検知用パターンを示す図であり、基本マトリクスを４×４の大きさで面積階調を行い作られる。
　（ａ），（ｂ）は５０％の、集中及びちどリパターン、（ｃ），（ｄ）は２５％の集中及びちどリパターン図である。
　この潜像は画像信号部と同様の現像バイアスで、まずＢｋが現像される。そして原稿画像は転写紙上に画像濃度検出用パターン像は転写ベルト上に転写される。この工程は次のＣ，Ｍ，Ｙでも同様に繰り返され、第２図の２８’Ｂ’ｋ，２８’Ｃ，２８’Ｍ，２８’Ｙというふうに転写ベルト上に転写される。このとき
画像濃度検出パターンの幅走査方向の書き出しタイミングは、位置ズレ検出用パターンと重ならないようにすればよく
位置ズレ検出用パターンの各色書き出し終了後一定間隔（ｔｖ）で２８’Ｂｋ，２８’Ｃ，２８’Ｍ，２８’Ｙをレーザービームを各色出力させれば良い。
書き出しタイミングで位置ズレ検出パターンの書き込みが終了するとパターン信号発生手段：Ｂｋより遅延回路：Ｂ’ｋに４８ａへ書き込み終了信号Ｃが入力されて遅延装置をトリガし、一定時間後に画像濃度検出パターン書き出し信号Ｂがパターン信号発生手段：Ｂｋ４１へ入力されて画像濃度検出パターンが出力される。
位置ズレ検出パターン２８Ｂｋ，２８Ｃ，２８Ｍ，２８Ｙがフォトセンサー２７で検出されたのち、画像濃度検出パターンが検出される。
ウ．「尚、
両パターン出力による制御手段は１コピー毎に行っても良いし、設定枚数毎に行う。またはどちらか片一方のみを行うなど、任意に行うことが出来る。
　
３．対比
　本願発明１と刊行物１発明とを対比する。
　まず、刊行物１発明における「感光体と、該感光体表面に一様帯電するチャージャと、記録情報に応じた画像光を感光体に投射する露光手段と、感光体の静電潜像を現像する現像手段と、転写紙に感光体の顕像を転写する転写手段とを有する記録装置を複数個配置し」は、本願発明１における「複数色の画像をそれぞれ形成する複数の画像形成部」に相当する。
　次に、刊行物１発明における「転写ベルトにより転写紙を各記録装置に順次搬送して画像を重ね転写する画像記録装置」は、本願発明１における「この複数の画像形成部で形成された複数色の画像を搬送体上の記録媒体若しくは中間転写体に順次に重ね合わせて転写し記録媒体上にカラー画像を得」る「カラー画像形成装置」に相当する。
　また、刊行物１発明における「位置ずれ検知のための測定用パターン画像」、「画像濃度検出用パターン画像」は、それぞれ、本願発明１における「位置ずれ検知用マーク」、「画像濃度調整用マーク」に相当し、刊行物１発明において、「画像濃度制御手段と、各色書き出しタイミング信号発生手段とを制御する」に際して、画像制御要求と位置合わせ要求に基づいて制御を行うことは自明の構成である。
　そして、刊行物１発明における「転写ベルト上に各色毎に測定用パターン画像を形成するためのパターン用画像信号発生手段と、各色パターン像の通過を検知する単一の検知手段と、検知手段による検知タイミングカウント手段と、該検知タイミングカウント手段によるカウント値を設定値と比較し、必要に応じてずれ量を演算する比較演算手段と、演算手段からの出力値に応じて設定変更可能な各色書き出しタイミング信号発生手段を設け、・・・各色書き出しタイミング信号発生手段とを制御する」は、本願発明１における「位置合わせ要求により前記搬送体若しくは中間転写体に位置ずれ検知用マークを形成して該位置ずれ検知用マークを検知し、その検知結果により基準色に対する他の色の位置ずれ量を算出して基準色に対する他の色の位置ずれを補正することで各色の位置合わせを行」う構成に対応し、また、刊行物１発明における「各色毎の画像濃度検出用パターン画像を作成し、・・・画像濃度制御手段・・・を制御する」は、「画像濃度制御要求により前記搬送体若しくは中間転写体に画像濃度調整用マークを形成して該画像濃度調整用マークを検知し、その検知結果により各色の画像濃度を調整する」構成に対応しているから、刊行物１発明も、本願発明１と同様に、「位置合わせ要求により前記搬送体若しくは中間転写体に位置ずれ検知用マークを形成して該位置ずれ検知用マークを検知し、その検知結果により基準色に対する他の色の位置ずれ量を算出して基準色に対する他の色の位置ずれを補正することで各色の位置合わせを行い、画像濃度制御要求により前記搬送体若しくは中間転写体に画像濃度調整用マークを形成して該画像濃度調整用マークを検知し、その検知結果により各色の画像濃度を調整する」ことは明らかである。
　
　したがって、両者は、
「複数色の画像をそれぞれ形成する複数の画像形成部を備え、この複数の画像形成部で形成された複数色の画像を搬送体上の記録媒体若しくは中間転写体に順次に重ね合わせて転写し記録媒体上にカラー画像を得、位置合わせ要求により前記搬送体若しくは中間転写体に位置ずれ検知用マークを形成して該位置ずれ検知用マークを検知し、その検知結果により基準色に対する他の色の位置ずれ量を算出して基準色に対する他の色の位置ずれを補正することで各色の位置合わせを行い、画像濃度制御要求により前記搬送体若しくは中間転写体に画像濃度調整用マークを形成して該画像濃度調整用マークを検知し、その検知結果により各色の画像濃度を調整するカラー画像形成装置において、前記位置ずれ検知用マーク及び前記画像濃度調整用マークの形成及び検知を行う手段を備えた、カラー画像形成装置。」の点で一致し、下記の点でのみ一応相違する。
　
　相違点：位置ずれ検知用マーク及び画像濃度調整用マークの形成及び検知を行う手段に関して、本願発明１のものは、「画像濃度制御要求と位置合わせ要求が同時になされた際に同一シーケンスにて位置ずれ検知用マーク及び画像濃度調整用マークの形成及び検知を行う」のに対して、刊行物１発明のものは、それが明確でない点。
　
４．当審の判断
　上記一応の相違点について検討する。
（本願発明１について）
　本願発明１の「画像濃度制御要求と位置合わせ要求が同時になされた際に同一シーケンスにて位置ずれ検知用マーク及び画像濃度調整用マークの形成及び検知を行う」に関して、本願の明細書及び図面には以下の記載がある。（下線は、当審にて付与した。）
　ａ．「上記
特許第２５７３８５５号公報記載の多重画像形成装置
図３に示す位置合わせ用マーク（位置ずれ検知用マーク）２５と図８に示す画像濃度調整用パターン２６は別のシーケンスにて各色の画像形成部２１〜２４により搬送ベルト２０上に個別に形成されている
　ｂ．「もし、
位置合わせの要求と画像濃度調整の要求が同時になされたならば、同一のシーケンスにて位置合わせ用マークと画像濃度調整用マークを形成することとしている
図９に示すように搬送ベルト３上の両端（画像領域内または転写紙２が乗らない領域）には画像濃度調整用マーク２６、位置合わせ用マーク（位置ずれ検知用マーク）２５を搬送方向へ連続する
　ｃ．図９として、
　 
　
　さらに、上記ａ．に関連して、本願明細書に従来技術として記載された特許第２５７３８５５号公報には、以下の記載がある。（下線は、当審にて付与した。）
ｄ．「次に、第５図を用いて転写材上に形成される濃度パターンの読み取りについて述べる。まず、この
濃度パターンの読み取りは、レジストレーション補正の際の位置決めマーク像の読み取りとは別に行なわれる
ｅ．「以上、述べてきた
レジストレーション補正及び画像の濃度制御は、別々の動作であり
　
ｆ．第３図として、（本願の図面の図３に対応）
 
ｇ．第５図として、（本願の図面の図８に対応）
 
　以上のとおり、特許第２５７３８５５号公報には、搬送ベルト上に、画像濃度調整用マークと、位置ずれ検知用マークの両方が形成されたものは記載されていない。
　
　してみると、本願発明１における「画像濃度制御要求と位置合わせ要求が同時になされた際に同一シーケンスにて両マークの形成及び検知を行う」とは、「一連の手順において、搬送ベルト上に、画像濃度調整用マークと、位置ずれ検知用マークの両方を形成するとともに、両マークの検知を行う」という構成を意味していると解釈できる。
　
（刊行物１発明について）
　一方、刊行物１発明は、上記摘記事項イ．の、「画像濃度検出パターンの幅走査方向の書き出しタイミングは、位置ズレ検出用パターンと重ならないようにすればよく、・・・位置ズレ検出用パターンの各色書き出し終了後一定間隔（ｔｖ）で２８’Ｂｋ，２８’Ｃ，２８’Ｍ，２８’Ｙをレーザービームを各色出力させれば良い。」及び「書き出しタイミングで位置ズレ検出パターンの書き込みが終了すると・・・一定時間後に画像濃度検出パターン書き出し信号Ｂがパターン信号発生手段：Ｂｋ４１へ入力されて画像濃度検出パターンが出力される。・・・位置ズレ検出パターン２８Ｂｋ，２８Ｃ，２８Ｍ，２８Ｙがフォトセンサー２７で検出されたのち、画像濃度検出パターンが検出される。」との記載から、刊行物１発明においても、「一連の手順において、搬送ベルト上に、画像濃度調整用マークと、位置ずれ検知用マークの両方を形成するとともに、両マークの検知を行う」ことは明らかである。
　したがって、刊行物１発明においても、「画像濃度制御要求と位置合わせ要求が同時になされた際に同一シーケンスにて位置ずれ検知用マーク及び画像濃度調整用マークの形成及び検知を行う」構成を有しているといえる。
　
（請求人の主張）
　請求人は、審判請求の理由において、「引用文献１には、『転写ベルト上に１個のフォトセンサを設け、濃度検出用パターンと位置ずれ検知用パターンを前記フォトセンサで読み取る』ことが開示されている（第２頁左上欄の『本発明の目的』の欄の第１８−２０行参照）ものの、濃度検出用パターンと位置ずれ検知用パターンの両パターンの画像を形成する要求が同時に発生することを開示していません。」、「引用文献１には、位置ずれ検知のための測定用パターン画像を形成する要求の発生時点と、各色毎の画像濃度検出用パターン画像を形成する要求の発生時点との関係は説明されていません。」と、刊行物１（引用文献１）には「画像濃度制御要求と位置合わせ要求が同時になされ」ることが記載されていない旨、主張している。
　上記主張について、検討する。
　刊行物１に記載のものは、上記摘記事項ウ．の、「両パターン出力による制御手段は１コピー毎に行っても良いし、設定枚数毎に行う。またはどちらか片一方のみを行うなど、任意に行うことが出来る。」との記載から、例えば、１コピー毎に画像濃度制御と位置合わせを行う場合において、１コピー毎に「画像濃度制御要求と位置合わせ要求が同時になされ」ることは自明の事項である。
　したがって、請求人の上記主張は採用できない。
　
（まとめ）
　以上のとおり、刊行物１発明においても、「画像濃度制御要求と位置合わせ要求が同時になされた際に同一シーケンスにて位置ずれ検知用マーク及び画像濃度調整用マークの形成及び検知を行う」構成を有しているから、上記相違点は、実質的な差異ではない。
　
５．むすび
　以上のとおり、本願発明１は刊行物１に記載された発明であるから、特許法第２９条第１項第３号に該当し、特許を受けることができない。
　したがって、その他の請求項に係る発明について検討するまでもなく、本願は拒絶すべきものである。
　
　よって、結論のとおり審決する。